(57)【要約】【課題】美的外観を備えた人形を簡単に生成することを可能とする装飾用人形の製造方法を提供することである。【解決手段】装飾用人形１の製造方法は、人の体を模したマネキン形状を有し目と口が予め施された布製の人形部１０に髪毛部１４を装着する第１の工程と、人形部１０に矩形シート状の第１の被服部１６を巻装して接着する第２の工程と、を備えることを特徴とする。第１の工程は、加熱すると溶け、冷えると固形状に戻るグルースティックを用いて装着する。【選択図】図１
2020146393.tif 000002
【特許請求の範囲】
【請求項１】
人の体を模したマネキン形状を有し目と口が予め施された布製の人形部に髪毛部を装着する第１の工程と、
前記人形部に矩形シート状の被服部を巻装して接着する第２の工程と、
を備えることを特徴とする装飾用人形の製造方法。
【請求項２】
請求項１に記載の装飾用人形の製造方法において、
前記第１の工程は、加熱すると溶け、冷えると固形状に戻るグルースティックを用いて装着することを特徴とする装飾用人形の製造方法。
【請求項３】
請求項１または請求項２のいずれか１項に記載の装飾用人形の製造方法において、
前記第２の工程は、前記被服部と前記人形部の胴体部との間に挟持される両面テープを用いて接着することを特徴とする装飾用人形の製造方法。
【発明の詳細な説明】
【技術分野】
【０００１】
本発明は、装飾用人形の製造方法に関する。
【背景技術】
【０００２】
従来、様々な人形が開発されている。本発明に関連する技術として、例えば、特許文献１には、演出パーツと、演出パーツが着脱される複数の部位と、を備えた人形体であって、演出パーツは、演出効果に基づいて分類される複数の演出パーツ群のいずれかに属し、属する演出パーツ群に固有の外形に形成された嵌合凸部を有しており、複数の部位のそれぞれは、いずれか一つの演出パーツ群に固有の嵌合凸部の外形に対応した嵌合孔を有し、該一つの演出パーツ群に属する演出パーツが着脱可能であり、着脱可能な演出パーツが属する演出パーツ群に対応して分類される複数の部位グループのいずれかに属し、複数の部位のそれぞれが属する部位グループには、他の種別の人形体の複数の部位のそれぞれが属する部位グループとの間で共通する少なくとも二つの部位グループが含まれる人形体が開示されている。
【先行技術文献】
【特許文献】
【０００３】
【特許文献１】特開２００６−４３２１３号公報
【発明の概要】
【発明が解決しようとする課題】
【０００４】
上記特許文献１に開示された人形体は複雑な構成を有しているため、生成に時間がかかるという課題がある。また、美的外観も備えていない。
【０００５】
本発明の目的は、美的外観を備えた人形を簡単に生成することを可能とする装飾用人形の製造方法を提供することである。
【課題を解決するための手段】
【０００６】
本発明に係る装飾用人形の製造方法は、人の体を模したマネキン形状を有し目と口が予め施された布製の人形部に髪毛部を装着する第１の工程と、前記人形部に矩形シート状の被服部を巻装して接着する第２の工程と、を備えることを特徴とする。
【０００７】
また、本発明に係る装飾用人形の製造方法において、前記第１の工程は、加熱すると溶け、冷えると固形状に戻るグルースティックを用いて装着することが好ましい。
【０００８】
また、本発明に係る装飾用人形の製造方法において、前記第２の工程は、前記被服部と前記人形部の胴体部との間に挟持される両面テープを用いて接着することが好ましい。
【発明の効果】
【０００９】
本発明によれば、美的外観を備えた人形を簡単に生成することができる。
【図面の簡単な説明】
【００１０】
【図１】本発明に係る実施形態において、人形部に髪毛部を装着する様子を示す図である。
【図２】本発明に係る実施形態において、人形部に第１の被服部を装着している様子を示す図である。
【図３】本発明に係る実施形態において、人形部に髪毛部、第１の被服部及び第２の被服部を装着して形成された装飾用人形を示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本発明に係る実施形態において、人形部１０に髪毛部１４を装着する様子を示す図である。図２は、本発明に係る実施形態において、人形部１０に第１の被服部１６を装着している様子を示す図である。
【００１３】
図３は、本発明に係る実施形態において、人形部１０に髪毛部１４、第１の被服部１６及び第２の被服部１８を装着して形成された装飾用人形１を示す図である。
【００１４】
本発明に係る実施形態の装飾用人形１の製造方法は、人の体を模したマネキン形状を有し目と口が予め施された布製の人形部１０に髪毛部１４を装着する第１の工程と、人形部１０に矩形シート状の第１の被服部１６を巻装して接着する第２の工程と、を備える。
【００１５】
人形部１０は、マネキン形状を有し、目と口が予め施された布製の人形である。図２に示されるように、人形部１０は丸型の顔部１３に、大きな目が閉じた状態で設けられ、閉じた状態の愛らしい口が目の下に配置されている。
【００１６】
人形部１０の顔部１３の下部には、顔部１３と略一体化された胴体部１１が設けられている。胴体部１１の長手方向の略中央部からは左右の腕部１２が延伸している。そして、胴体部１１の長手方向の下部からは２本の脚部１５が延伸している。
【００１７】
人形部１０は、白色をベースに着色されているが、もちろん、白色に限らず、その他の色、例えば、茶色や薄橙色などに着色されていてもよい。
【００１８】
髪毛部１４、第１の被服部１６及び第２の被服部１８が装着されていない素の状態の人形部１０を用いて、装飾用人形１が製造される。
【００１９】
髪毛部１４は、糸部材を用いて髪の毛のように編まれて形成された部材である。髪毛部１４は、例えば、茶色に着色されるものとして説明するが、もちろん、その他の色であってもよく、例えば、黒色や金色でもよい。
【００２０】
第１の被服部１６は、矩形シート状の布部材で構成されて、人形部１０の胴体部１１に装着可能な部材である。第１の被服部１６は、胴体部１１に装着される際に接触する接触面と反対側の面である露出面は美的外観を重視して模様や色彩などが施されている。
【００２１】
第１の被服部１６の接触面側には、図２に示されるように両面テープ１７が設けられている。この両面テープ１７を用いて、第１の被服部１６を人形部１０に装着することが可能となる。両面テープ１７は、ここでは、紙両面テープ（不織布）であるものとして説明するが、もちろん、その他のテープでもよい。
【００２２】
第２の被服部１８は、第１の被服部１６が上半身に着る被服としての役割を担う場合に、下半身に着る被服（例えば、スカート）としての役割を担うように施されている。第２の被服部１８にも第１の被服部１６と同様に両面テープが設けられている。第２の被服部１８についても、露出面側には美的外観を鑑み、意匠を施すことが好ましい。
【００２３】
続いて、上記構成からなる装飾用人形１の製造方法の手順と効果について説明する。最初に、髪毛部１４、第１の被服部１６及び第２の被服部１８が装着されていない素の状態の人形部１０を準備する。
【００２４】
その後、グルースティックを用いて、人形部１０の頭部に髪毛部１４を接着する。グルースティックとは、加熱すると溶け、冷えると固形状に戻るホットメルト型接着剤を円柱状に成形したものである。
【００２５】
グルースティックは、塗ってから貼り合わせて数秒から数十秒で固まるので、素早く、手を汚さず、綺麗に作業できる。また、溶かす温度は、低温タイプで１２０〜１３０℃であり、一般的には１７０〜２１０℃の温度である。
【００２６】
グルーガンは、アルミダイキャスト製の本体 (アルミタンクと呼ぶ) にヒーターを取り付けて加熱し、本体の中に挿入されたグルースティックを溶かす装置である。
【００２７】
人形部１０の頭部に髪毛部１４を接着する際には、グルーガンを作動させてヒーターを加熱してグルースティックを溶かしつつ、グルーガンの先端部で髪毛部１４において人形部１０の頭部に対応する部分に付着させる。
【００２８】
液状のグルースティックが付着された状態の髪毛部１４を人形部１０の頭部に接着させながら女性の髪を模すように装着する。グルースティックが冷えると、図１に示されるように、髪毛部１４がしっかりと固定される状態となる。
【００２９】
次に、人形部１０の胴体部１１に第１の被服部１６を装着する。図２（髪毛部１４は省略した状態で描いている）に示されるように、矩形シート状の第１の被服部１６上に人形部１０を配置する。このとき、両面テープ１７の剥離紙を剥がして接着可能な状態とする。
【００３０】
第１の被服部１６では、ここでは、図３にしめされるようにノースリーブの上着に仕上げるため、矩形シート状の第１の被服部１６において左右の腕部１２を通すことが可能なように鋏などを用いて適宜切断し、胴体部１１に装着する。これにより、上着が装着された状態となる。
【００３１】
その後、第２の被服部１８を用い、両面テープをはがして、第１の被服部１６に一部重なり合うように巻装するようにことで、図３に示されるようにスカートのような被服として機能させることができる。
【００３２】
これらの工程を経て、装飾用人形１が完成する。このように、装飾用人形１の製造方法によれば、グルースティックと両面テープを用いて手軽に人形を作り上げることができるという顕著な効果を奏する。
【００３３】
上記のように、ここでは、被服を第１の被服部１６と第２の被服部１８のツーピースの被服であるものとして説明したが、もちろん、ワンピースの服でもよい。また、第１の被服部１６と第２の被服部１８の接着は両面テープが基本であるが、適宜グルースティックを用いてもよい。
【００３４】
また、上記の例では、髪毛部１４、第１の被服部１６及び第２の被服部１８の一例を挙げたが、髪型や服のデザインは適宜変更可能であり、様々な意匠にすることが出来るため、人形の作り手は、モノ作りをより一層楽しむことが出来るという利点がある。
【符号の説明】
【００３５】
１  装飾用人形、１０  人形部、１１  胴体部、１２  腕部、１３  顔部、１４  髪毛部、１５  脚部、１６  被服部、１７  両面テープ、１８  被服部。
【図１】
2020146393.tif 000003
【図２】
2020146393.tif 000004
【図３】
2020146393.tif 000005